(57)【要約】【課題】アクセス方式が異なる３つの無線通信部間での影響を小さくする。【解決手段】無線通信装置は、複数のチャネルが割り当てられた第１の周波数帯域のいずれかのチャネルを使用して第１の無線通信を行う無線通信部２０と、第１の周波数帯域よりも低い第２の周波数帯域を使用して、第１の無線通信とはアクセス方式が異なる第２の無線通信を行う無線通信部１０と、第１の周波数帯域よりも高い第３の周波数帯域を使用して、第１および第２の無線通信とはアクセス方式が異なる第３の無線通信を行う無線通信部３０と、無線通信部２０と無線通信部１０、３０の一方の無線通信部とが競合した場合に、無線通信部２０と一方の無線通信部それぞれの、無線通信部１０、３０の他方の無線通信部の稼働前および稼働後における受信状態の変化に基づいて、無線通信部２０が使用するチャネルを決定する制御部４０と、を有する。【選択図】図１
2013009251.tif 000002
【特許請求の範囲】
【請求項１】
複数のチャネルが割り当てられた第１の周波数帯域の、前記複数のチャネルのいずれかを使用して第１の無線通信を行う第１の無線通信部と、
前記第１の周波数帯域よりも低い第２の周波数帯域を使用して、前記第１の無線通信とはアクセス方式が異なる第２の無線通信を行う第２の無線通信部と、
前記第１の周波数帯域よりも高い第３の周波数帯域を使用して、前記第１および第２の無線通信とはアクセス方式が異なる第３の無線通信を行う第３の無線通信部と、
前記第１の無線通信部と前記第２および第３の無線通信部の一方の無線通信部とが競合した場合に、前記第１の無線通信部と前記一方の無線通信部それぞれの、前記第２および第３の無線通信部の他方の無線通信部の稼働前および稼働後における受信状態の変化に基づいて、前記第１の無線通信部が使用するチャネルを決定する制御部と、を有する、無線通信装置。
【請求項２】
前記第１の無線通信部および一方の無線通信部はそれぞれ、前記他方の無線通信部の稼働前および稼働後のキャリア対雑音比および受信電界強度を取得し、
前記制御部は、前記第１の無線通信部および一方の無線通信部それぞれにおける、前記キャリア対雑音比の変化および前記受信電界強度の変化に応じて、前記第１の無線通信部が使用するチャネルを高域側または低域側にシフトさせる、請求項１に記載の無線通信装置。
【請求項３】
前記第１の無線通信がＷＬＡＮであり、前記第２の無線通信がＣＤＭＡであり、前記第３の無線通信がＷｉＭＡＸである、請求項１または２に記載の無線通信装置。
【請求項４】
複数のチャネルが割り当てられた第１の周波数帯域の、前記複数のチャネルのいずれかを使用して第１の無線通信を行い、
前記第１の周波数帯域よりも低い第２の周波数帯域を使用して、前記第１の無線通信とはアクセス方式が異なる第２の無線通信を行い、
前記第１の周波数帯域よりも高い第３の周波数帯域を使用して、前記第１および第２の無線通信とはアクセス方式が異なる第３の無線通信を行い、
前記第１の無線通信と前記第２および第３の無線通信の一方の無線通信とが競合した場合に、前記第１の無線通信と前記一方の無線通信それぞれの、前記第２および第３の無線通信の他方の無線通信の実行前および実行後における受信状態の変化に基づいて、前記第１の無線通信が使用するチャネルを決定する、無線アクセス制御方法。
【発明の詳細な説明】
【技術分野】
【０００１】
本発明は、アクセス方式が異なる複数の無線通信機能を搭載した無線通信装置に関する。
【背景技術】
【０００２】
特許文献１には、複数の異なる通信帯域を用いて通信するマルチモード無線装置が開示されている。このマルチモード無線装置は、それぞれが異なる通信帯域を使用して通信を行う複数の送受信機モジュールと、これら送受信機モジュールそれぞれの受信レベルを検出するとともに、各送受信機モジュールの動作を制御する検知モジュールとを有する。
【０００３】
送受信機モジュールとしては、ＷＬＡＮ（Wireless Local Area Network）帯を使用するもの、ＣＤＭＡ（Code Division Multiple Access）帯を使用するもの、ＷｉＭＡＸ（Worldwide Interoperability for Microwave Access）帯を使用するものなどがある。
【０００４】
上記のマルチモード無線装置においては、検知モジュールは、複数の送受信機モジュールのうちの特定の送受信機モジュールをアクティブ状態とし、残りの送受信機モジュールを非アクティブ状態とする。そして、検知モジュールは、残りの送受信機モジュールの受信レベルを検知し、検知した受信レベルが閾値を上回った送受信機モジュールのうちの少なくとも１つをアクティブ状態とする。これにより、少なくとも２つの送受信機モジュールが同時に動作する。
【先行技術文献】
【特許文献】
【０００５】
【特許文献１】特開２０１０−５３９８６２号公報
【発明の概要】
【発明が解決しようとする課題】
【０００６】
特許文献１に記載のマルチモード無線装置においては、使用周波数帯域が隣接する３つの送受信機モジュール、例えば、ＣＤＭＡ、ＷＬＡＮ、ＷｉＭＡＸの３つの送受信機モジュールを同時にアクティブ状態とした場合に、以下のような問題が生じる。
【０００７】
ＣＤＭＡ用送受信機モジュールが２ＧＨｚ帯を使用して送信を行い、ＷＬＡＮ用送受信機モジュールが２．４ＧＨｚ帯を用いて送受信を行う場合、ＣＤＭＡ用送受信機モジュール側の２ＧＨｚ帯の送信波の一部（帯域外の不要送信パワー）が、ＷＬＡＮ用送受信機モジュール側の２．４ＧＨｚ帯に影響し、その結果、ＷＬＡＮ用送受信機モジュールのＲＦ（Radio Frequency）特性が劣化する。
【０００８】
また、ＷｉＭＡＸ用送受信機モジュールが２．５ＧＨｚ帯を使用して送受信を行う場合、ＷｉＭＡＸ用送受信機モジュールの２．５ＧＨｚ帯がＷＬＡＮ用送受信機モジュールの２．４ＧＨｚ帯と非常に近いため、一方のモジュールの送信波の一部（帯域外の不要送信パワー）が他方のモジュールの使用周波数帯に影響し、その結果、両モジュールのＲＦ特性が劣化する。
【０００９】
一般に、ＷＬＡＮでは、複数のチャネルを使用することから、使用チャネルの周波数帯域によっては、上記のＲＦ特性の劣化がより顕著なものとなる。
【００１０】
本発明の目的は、上記問題を解決し、アクセス方式が異なる３つの無線通信部間での影響を小さくすることができる、無線通信装置および無線アクセス制御方法を提供することにある。
【課題を解決するための手段】
【００１１】
上記目的を達成するため、本発明の無線通信装置は、
複数のチャネルが割り当てられた第１の周波数帯域の、前記複数のチャネルのいずれかを使用して第１の無線通信を行う第１の無線通信部と、
前記第１の周波数帯域よりも低い第２の周波数帯域を使用して、前記第１の無線通信とはアクセス方式が異なる第２の無線通信を行う第２の無線通信部と、
前記第１の周波数帯域よりも高い第３の周波数帯域を使用して、前記第１および第２の無線通信とはアクセス方式が異なる第３の無線通信を行う第３の無線通信部と、
前記第１の無線通信部と前記第２および第３の無線通信部の一方の無線通信部とが競合した場合に、前記第１の無線通信部と前記一方の無線通信部それぞれの、前記第２および第３の無線通信部の他方の無線通信部の稼働前および稼働後における受信状態の変化に基づいて、前記第１の無線通信部が使用するチャネルを決定する制御部と、を有する。
【００１２】
本発明の無線アクセス制御方法は、
複数のチャネルが割り当てられた第１の周波数帯域の、前記複数のチャネルのいずれかを使用して第１の無線通信を行い、
前記第１の周波数帯域よりも低い第２の周波数帯域を使用して、前記第１の無線通信とはアクセス方式が異なる第２の無線通信を行い、
前記第１の周波数帯域よりも高い第３の周波数帯域を使用して、前記第１および第２の無線通信とはアクセス方式が異なる第３の無線通信を行い、
前記第１の無線通信と前記第２および第３の無線通信の一方の無線通信とが競合した場合に、前記第１の無線通信と前記一方の無線通信それぞれの、前記第２および第３の無線通信の他方の無線通信の実行前および実行後における受信状態の変化に基づいて、前記第１の無線通信が使用するチャネルを決定することを含む。
【発明の効果】
【００１３】
本発明によれば、無線通信部のいずれかのＲＦ特性が大きく劣化することを避けることができるので、安定したＲＦ動作を提供することができる。
【図面の簡単な説明】
【００１４】
【図１】本発明の一実施形態である無線通信装置の構成を示すブロック図である。
【図２】図１に示す無線通信装置の各無線通信部の使用周波数帯域と送信パワーの分布を示す図である。
【図３Ａ】図１に示す無線通信装置のアクセス制御の一手順を示すフローチャートである。
【図３Ｂ】図１に示す無線通信装置のアクセス制御の一手順を示すフローチャートである。
【図３Ｃ】図１に示す無線通信装置のアクセス制御の一手順を示すフローチャートである。
【発明を実施するための形態】
【００１５】
次に、本発明の実施形態について図面を参照して説明する。
【００１６】
図１は、本発明の一実施形態である無線通信装置の構成を示す。
【００１７】
図１に示すように、無線通信装置は、複数の異なる通信帯域を使用して無線通信を行うことができる、移動可能な移動体端末であって、その主要部は、無線通信部１０、２０、３０および制御部４０を有する。
【００１８】
無線通信部１０は、ＷｉＭＡＸ帯を使用してデータ通信を行うものであって、スイッチ１１、１２、１３、フィルタ１４、１５、１６、受信部（WiMAX_RX）１７、１８、および送信部（WiMAX_TX）１９を有する。ＷｉＭＡＸ帯は、例えば２．５９５ＧＨｚ〜２．６２５ＧＨｚであり、この帯域を送信および受信のそれぞれで用いる。ＷｉＭＡＸによる通信では、ＷＬＡＮによる通信と比較して、より高速で、より広い範囲での通信が可能である。
【００１９】
スイッチ１１〜１３はそれぞれ第１から第３の端子を備える。スイッチ１１において、第１の端子はアンテナＡｎｔ１に接続され、第２の端子はフィルタ１４を介して受信部４１７に接続され、第３の端子は、スイッチ１２の第１の端子に接続されている。スイッチ１１は、制御部４０からの切替信号に従って、第１の端子と第２の端子の間を接続する第１の状態と、第１の端子と第３の端子の間を接続する第２の状態との間の切り替えを行う。
【００２０】
スイッチ１２において、第２の端子はフィルタ１５を介して送信部１９に接続され、第３の端子はスイッチ１３の第２の端子に接続されている。スイッチ１２は、制御部４０からの切替信号に従って、第１の端子と第２の端子の間を接続する第１の状態と、第２の端子と第３の端子の間を接続する第２の状態との間の切り替えを行う。
【００２１】
スイッチ１３において、第１の端子はアンテナＡｎｔ２に接続され、第３の端子はフィルタ１６を介して受信部１８に接続されている。スイッチ１３は、制御部４０からの切替信号に従って、第１の端子と第２の端子の間を接続する第１の状態と、第１の端子と第３の端子の間を接続する第２の状態との間の切り替えを行う。
【００２２】
フィルタ１４、１５、１６はいずれも、ＷｉＭＡＸ帯（例えば２．５９５ＧＨｚ〜２．６２５ＧＨｚ）を通過させ、それ以外の帯域を遮断する特性を有する。
【００２３】
受信部１７は、アンテナＡｎｔ１からのＲＦ信号をスイッチ１１およびフィルタ１４を介して受信する。受信部１８は、アンテナＡｎｔ２からのＲＦ信号をスイッチ１３およびフィルタ１６を介して受信する。送信部１９は、信号を送信するものであって、その送信信号は、アンテナＡｎｔ１またはアンテナＡｎｔ２から出力される。
【００２４】
アンテナＡｎｔ１を用いて信号を受信する場合は、制御部４０は、スイッチ１１を第１の状態とするように制御する。アンテナＡｎｔ２を用いて信号を受信する場合は、制御部４０は、スイッチ１３を第１の状態とするように制御する。
【００２５】
送信信号をアンテナＡｎｔ１から出力させる場合は、制御部４０は、スイッチ１１を第２の状態とするように制御し、スイッチ１２を第１の状態とするように制御する。送信信号をアンテナＡｎｔ２から出力させる場合は、制御部４０は、スイッチ１２、１３をそれぞれ第２の状態とするように制御する。
【００２６】
無線通信部２０は、ＷＬＡＮ帯を使用してデータ通信を行うものであって、フィルタ２１、スイッチ２２、送信部（WLAN_TX）２３および受信部（WLAN_RX）２４を有する。ＷＬＡＮ帯では、例えば、２．４１２ＧＨｚ〜２．４７２ＧＨｚであり、この帯域を送信および受信のそれぞれで用いる。
【００２７】
スイッチ２２は第１から第３の端子を有する。スイッチ２２において、第１の端子は、フィルタ２１を介してアンテナＡｎｔ３に接続され、第２の端子は、送信部（WLAN_TX）２３に接続され、第３の端子は、受信部（WLAN_RX）２４に接続されている。スイッチ２２は、制御部４０からの切替信号に従って、第１の端子と第３の端子の間を接続する第１の状態と、第２の端子と第３の端子の間を接続する第２の状態との間の切り替えを行う。
【００２８】
フィルタ２１はＷＬＡＮ帯（例えば２．４１２ＧＨｚ〜２．４７２ＧＨｚ）を通過させ、それ以外の帯域を遮断する特性を有する。
【００２９】
受信部２４は、アンテナＡｎｔ３からのＲＦ信号をフィルタ２１およびスイッチ２２を介して受信する。送信部２３は、信号を送信するものであって、その送信信号は、フィルタ２１およびスイッチ２２を介してアンテナＡｎｔ３から出力される。
【００３０】
アンテナＡｎｔ３を用いて信号を受信する場合は、制御部４０は、スイッチ２１を第１の状態とするように制御する。送信信号をアンテナＡｎｔ３から出力させる場合は、制御部４０は、スイッチ２１を第２の状態とするように制御する。
【００３１】
無線通信部３０は、ＣＤＭＡ帯を使用して音声およびデータの通信を行うものであって、スイッチ３１、フィルタ３２、３３、送信部（CDMA_TX）３４および受信部（CDMA_RX）３５を有する。ＣＤＭＡ帯では、例えば、１．９２５ＧＨｚ〜１．９４０ＧＨｚの帯域が送信に用いられ、２．１１５ＧＨｚ〜２．１３０ＧＨｚの帯域が受信に用いられる。
【００３２】
スイッチ３１は第１から第４の端子を有する。スイッチ３１において、第１の端子はアンテナＡｎｔ４に接続され、第２の端子はアンテナＡｎｔ５に接続され、第３の端子はフィルタ３２を介して送信部３４に接続され、第４の端子はフィルタ３３を介して受信部３５に接続されている。スイッチ３１は、制御部４０からの切替信号に従って、第１の端子と第３の端子の間を接続する第１の状態と、第２の端子と第４の端子の間を接続する第２の状態との間の切り替えを行う。
【００３３】
フィルタ３２は、ＣＤＭＡ帯のうちの送信帯域（例えば、１．９２５ＧＨｚ〜１．９４０ＧＨｚ）を通過させ、それ以外の帯域を遮断する特性を有する。フィルタ３３は、ＣＤＭＡ帯のうちの受信帯域（例えば、２．１１５ＧＨｚ〜２．１３０ＧＨｚ）を通過させ、それ以外の帯域を遮断する特性を有する。
【００３４】
送信部３４は、信号を送信するものであって、その送信信号は、フィルタ３２およびスイッチ３１を介してアンテナＡｎｔ４から出力される。受信部３５は、アンテナＡｎｔ５からのＲＦ信号をスイッチ３１およびフィルタ３２を介して受信する。
【００３５】
送信信号をアンテナＡｎｔ４から出力させる場合は、制御部４０は、スイッチ３１を第１の状態とするように制御する。アンテナＡｎｔ５を用いて信号を受信する場合は、制御部４０は、スイッチ３１を第２の状態とするように制御する。
【００３６】
ＣＤＭＡの通信では、基地局圏内の待ちうけ動作において、無線通信部３０は、一定時間毎に、ＲＦ動作を行い、基地局と直ぐに接続できるような動作を繰り返す。
【００３７】
次に、本実施形態の移動体端末のアクセス制御に関わる動作について説明する。
【００３８】
図２に、無線通信部１０、２０、３０のそれぞれの使用周波数帯域と送信パワーの分布を示す。図２において、横軸は、周波数を示す。
【００３９】
図２に示すように、無線通信部１０の送信パワーのうち、ＷｉＭＡＸ帯域外の送信パワーの一部（低域側）が、ＷＬＡＮ帯に影響を及ぼす。無線通信部１０のＷｉＭＡＸ帯域外の送信パワーがＷＬＡＮ帯に及ぼす影響は、ＷＬＡＮ帯の高域側ほど大きい。
【００４０】
また、無線通信部３０の送信パワーのうち、ＣＤＭＡ帯域外の送信パワーの一部（高域側）が、ＷＬＡＮ帯に影響を及ぼす。無線通信部３０のＣＤＭＡ帯域外の送信パワーがＷＬＡＮ帯に及ぼす影響は、ＷＬＡＮ帯の低域側ほど大きい。
【００４１】
無線通信部２０の送信パワーのうち、ＷＬＡＮ帯域外の送信パワーが、ＷｉＭＡＸ帯域およびＣＤＭＡ帯に影響を及ぼす。無線通信部２０のＷＬＡＮ帯域外の送信パワーがＷｉＭＡＸ帯に及ぼす影響は、ＷｉＭＡＸ帯の低域側ほど大きい。無線通信部２０のＷＬＡＮ帯域外の送信パワーがＣＤＭＡ帯に及ぼす影響は、ＣＤＭＡ帯の高域側ほど大きい。
【００４２】
本実施形態では、ＷＬＡＮ帯は複数のチャネルの周波数帯域に分割されており、無線通信部２０は、制御部４０からの指示信号に従って使用チャネルを変更することができる。
【００４３】
また、無線通信部１０は、ＷｉＭＡＸ帯を使用して通信を行い、信号の受信時に、Ｃ/Ｎ（Carrier to Noise Ratio）および受信信号強度（ＲＳＳＩ：Received Signal Strength Indication）の値を制御部４０に供給する。無線通信部２０は、ＷＬＡＮ帯を使用して通信を行い、信号の受信時に、Ｃ/ＮおよびＲＳＳＩの値を制御部４０に供給する。無線通信部３０は、ＣＤＭＡ帯を使用して通信を行い、信号の受信時に、Ｃ/ＮおよびＲＳＳＩの値を制御部４０に供給する。
【００４４】
制御部４０は、記憶部４０ａを備え、無線通信部１０、２０、３０からのＣ/ＮおよびＲＳＳＩの値を無線通信部毎に記憶部４０に格納する。例えば、記憶部４０ａには、Ｃ／ＮおよびＲＳＳＩの値と無線通信部の識別情報とが関連付けられて格納される。なお、記憶部４０ａは、制御部４０とは別に設けられても良い。
【００４５】
また、制御部４０は、記憶部４０に格納した各無線通信部のＣ/ＮおよびＲＳＳＩの値を参照し、無線通信部１０と無線通信部２０の間および無線通信部３０と無線通信部２０の間で、それぞれの帯域外送信パワーによる影響が小さくなるように、無線通信部２０のチャネルを決定するためのアクセス制御を行う。
【００４６】
以下、アクセス制御について具体的に説明する。
【００４７】
図３Ａ〜図３Ｃに、アクセス制御の一手順を示す。図３Ａ〜図３Ｃは、一連のアクセス制御手順を示す。
【００４８】
図３Ａに示すように、まず、制御部４０が無線通信部１０、２０を稼働させ、無線通信部１０、２０がそれぞれの使用環境においてＣ／ＮおよびＲＳＳＩの値を取得し、取得した各値を制御部４０に供給する（ステップ３００）。制御部４０は、無線通信部１０、２０からのＣ／ＮおよびＲＳＳＩの値を無線通信部別に記憶部４０ａに格納する。なお、無線通信部１０、２０において、Ｃ／Ｎは一定時間毎に取得され、各Ｃ／Ｎの値が記憶部４０ａに格納される。よって、制御部４０は、無線通信部１０、２０のそれぞれについて、記憶部４０ａに格納された一定時間毎のＣ／Ｎの値に基づいてＣ／Ｎの劣化量を算出することができる。
【００４９】
次に、使用者が無線通信装置上で所定の操作を行い、その操作に従って、制御部４０が無線通信部１０、２０を競合動作させる（ステップ３０１）。この競合動作状態において、制御部４０が無線通信部３０を稼働させ、無線通信部１０、２０がそれぞれの使用環境においてＣ／ＮおよびＲＳＳＩの値を取得し、取得した各値を制御部４０に供給する（ステップ３０２）。制御部４０は、無線通信部１０、２０からのＣ／ＮおよびＲＳＳＩの値を無線通信部別に記憶部４０ａに格納する。この場合も、Ｃ／Ｎの値は一定時間毎に取得される。よって、制御部４０は、無線通信部１０、２０のそれぞれについて、記憶部４０ａに格納された一定時間毎のＣ／Ｎの値に基づいてＣ／Ｎの劣化量を算出することができる。
【００５０】
次に、制御部４０が、ステップ３０２で取得した無線通信部２０のＣ／Ｎの劣化量がステップＳ３００で取得した無線通信部２０のＣ／Ｎの劣化量より大きいか否かを判定する（ステップ３０３）。このステップ３０３の判定が「ＮＯ」である場合は図３Ｂに示す手順が実行され、「ＹＥＳ」である場合は、図３Ｃに示す手順が実行される。
【００５１】
図３Ｂに示す手順では、まず、制御部４０が、ステップ３０２で取得した無線通信部２０のＲＳＳＩの値がステップ３００で取得した無線通信部２０のＲＳＳＩの値より高いか否かを判定する（ステップ３１０）。
【００５２】
ステップ３１０の判定が「ＮＯ」である場合は、制御部４０は、無線通信部３０からの影響ではなく、無線通信部２０の使用環境のために弱電界となったと判断して、無線通信部２０の使用チャネルの変更は行わずに、アクセス制御の処理を終了する。
【００５３】
ステップ３１０の判定が「ＹＥＳ」である場合は、制御部４０は、無線通信部３０からの影響であると判断して、無線通信部２０の使用チャネルを１チャネルだけ高周波数側へ遷移させることができるか否かを判定する（ステップ３１１）。
【００５４】
ステップ３１１の判定結果が「ＮＯ」である場合は、制御部４０は、無線通信部２０の使用チャネルの変更は行わずに、アクセス制御の処理を終了する。
【００５５】
ステップ３１１の判定結果が「ＹＥＳ」である場合は、制御部４０は、無線通信部２０の使用チャネルを１チャネルだけ高周波数側へ遷移させる（ステップ３１２）。そして、制御部４０は、チャネルの番号であるｎ＋１をｎとする。
【００５６】
次に、無線通信部１０、２０がそれぞれの使用環境においてＣ／ＮおよびＲＳＳＩの値を取得し、取得した各値を制御部４０に供給する（ステップ３１３）。制御部４０は、無線通信部１０、２０からのＣ／ＮおよびＲＳＳＩの値を無線通信部別に記憶部４０ａに格納する。なお、無線通信部１０、２０において、Ｃ／Ｎは一定時間毎に取得され、各Ｃ／Ｎの値が記憶部４０ａに格納される。よって、制御部４０は、無線通信部１０、２０のそれぞれについて、記憶部４０ａに格納された一定時間毎のＣ／Ｎの値に基づいてＣ／Ｎの劣化量を算出することができる。
【００５７】
次に、制御部４０が、ステップ３１３で取得した無線通信部１０のＣ／Ｎの劣化量がステップＳ３００で取得した無線通信部１０のＣ／Ｎの劣化量より大きいか否かを判定する（ステップ３１４）。
【００５８】
ステップ３１４の判定結果が「ＮＯ」である場合は、ステップ３１１の処理へ移行する。
【００５９】
ステップ３１４の判定結果が「ＹＥＳ」である場合は、制御部４０が、ステップ３１３で取得した無線通信部１０のＲＳＳＩの値がステップ３００で取得した無線通信部１０のＲＳＳＩの値より高いか否かを判定する（ステップ３１５）。
【００６０】
ステップ３１５の判定結果が「ＮＯ」である場合は、制御部４０は、無線通信部２０の使用チャネルの変更は行わずに、アクセス制御の処理を終了する。
【００６１】
ステップ３１５の判定結果が「ＹＥＳ」である場合は、制御部４０が、ステップ３１３で取得した無線通信部１０のＣ／Ｎの劣化量がステップＳ３０２で取得した無線通信部２０のＣ／Ｎの劣化量以上であるか否かを判定する（ステップ３１６）。
【００６２】
ステップ３１６の判定結果が「ＮＯ」である場合は、ステップ３１１の処理へ移行する。ステップ３１６の判定結果が「ＹＥＳ」である場合は、制御部４０が、ステップ３１３で取得した無線通信部１０のＣ／Ｎの劣化量がステップＳ３０２で取得した無線通信部２０のＣ／Ｎの劣化量と異なるか否かを判定する（ステップ３１７）。
【００６３】
ステップ３１７の判定結果が「ＮＯ」である場合は、制御部４０は、無線通信部２０の使用チャネルの変更は行わずに、アクセス制御の処理を終了する。
【００６４】
ステップ３１７の判定結果が「ＹＥＳ」である場合は、制御部４０は、無線通信部２０の使用チャネルを１チャネルだけ低周波数側へ遷移させ、その後、アクセス制御の処理を終了する。
【００６５】
図３Ｃに示す手順では、まず、制御部４０が、ステップ３０２で取得した無線通信部１０のＣ／Ｎの劣化量がステップ３００で取得した無線通信部１０のＣ／Ｎの劣化量より大きいか否かを判定する（ステップ３２１）。
【００６６】
ステップ３２１の判定結果が「ＮＯ」である場合は、制御部４０は、無線通信部２０の使用チャネルの変更は行わずに、アクセス制御の処理を終了する。
【００６７】
ステップ３２１の判定結果が「ＹＥＳ」である場合は、制御部４０は、ステップ３０２で取得した無線通信部１０のＲＳＳＩの値がステップ３００で取得した無線通信部１０のＲＳＳＩの値より高いか否かを判定する（ステップ３２２）。
【００６８】
ステップ３２２の判定結果が「ＮＯ」である場合は、制御部４０は、無線通信部２０の使用チャネルの変更は行わずに、アクセス制御の処理を終了する。ステップ３２２の判定結果が「ＹＥＳ」である場合は、制御部４０は、無線通信部２０の使用チャネルを１チャネルだけ低周波数側へ遷移させることができるか否かを判定する（ステップ３２３）。
【００６９】
ステップ３２３の判定結果が「ＮＯ」である場合は、制御部４０は、無線通信部２０の使用チャネルの変更は行わずに、アクセス制御の処理を終了する。ステップ３２３の判定結果が「ＹＥＳ」である場合は、制御部４０は、無線通信部２０の使用チャネルを１チャネルだけ低周波数側へ遷移させる（ステップ３２４）。そして、制御部４０は、チャネルの番号であるｎ−１をｎとする。
【００７０】
次に、無線通信部１０、２０がそれぞれの使用環境においてＣ／ＮおよびＲＳＳＩの値を取得し、取得した各値を制御部４０に供給する（ステップ３２５）。制御部４０は、無線通信部１０、２０からのＣ／ＮおよびＲＳＳＩの値を無線通信部別に記憶部４０ａに格納する。この場合も、Ｃ／Ｎの値は一定時間毎に取得される。よって、制御部４０は、無線通信部１０、２０のそれぞれについて、記憶部４０ａに格納された一定時間毎のＣ／Ｎの値に基づいてＣ／Ｎの劣化量を算出することができる。
【００７１】
次に、制御部４０が、ステップ３２５で取得した無線通信部２０のＣ／Ｎの劣化量がステップＳ３００で取得した無線通信部２０のＣ／Ｎの劣化量より大きいか否かを判定する（ステップ３２６）。
【００７２】
ステップ３２６の判定結果が「Ｎｏ」である場合は、制御部４０が、ステップ３２５で取得した無線通信部１０のＣ／Ｎの劣化量がステップＳ３００で取得した無線通信部１０のＣ／Ｎの劣化量より大きいか否かを判定する（ステップ３２７）。
【００７３】
ステップ３２７の判定結果が「ＮＯ」である場合は、制御部４０は、無線通信部２０の使用チャネルの変更は行わずに、アクセス制御の処理を終了する。ステップ３２７の判定結果が「ＹＥＳ」である場合は、ステップ３２３の処理へ移行する。
【００７４】
ステップ３２６の判定結果が「ＹＥＳ」である場合は、制御部４０が、ステップ３２５で取得した無線通信部２０のＲＳＳＩの値がステップＳ３００で取得した無線通信部２０のＲＳＳＩの値より高いか否かを判定する（ステップ３２８）。
【００７５】
ステップ３２８の判定結果が「ＮＯ」である場合は、制御部４０は、無線通信部２０の使用チャネルの変更は行わずに、アクセス制御の処理を終了する。
【００７６】
ステップ３２８の判定結果が「ＹＥＳ」である場合は、制御部４０が、ステップ３２５で取得した無線通信部２０のＣ／Ｎの劣化量がステップＳ３０２で取得した無線通信部１０のＣ／Ｎの劣化量以上であるか否かを判定する（ステップ３２９）。
【００７７】
ステップ３２９の判定結果が「ＮＯ」である場合は、ステップ３２３の処理へ移行する。ステップ３２９の判定結果が「ＹＥＳ」である場合は、制御部４０が、ステップ３２５で取得した無線通信部２０のＣ／Ｎの劣化量がステップＳ３０２で取得した無線通信部１０のＣ／Ｎの劣化量と異なるか否かを判定する（ステップ３３０）。
【００７８】
ステップ３３０の判定結果が「ＮＯ」である場合は、制御部４０は、無線通信部２０の使用チャネルの変更は行わずに、アクセス制御の処理を終了する。ステップ３３０の判定結果が「ＮＯ」である場合は、制御部４０は、無線通信部２０の使用チャネルを１チャネルだけ高周波数側へ遷移させ、アクセス制御の処理を終了する。
【００７９】
上述したアクセス制御によれば、無線通信部１０、２０、３０をそれぞれ稼働状態とした上で、無線通信部１０、２０それぞれがＣ／ＮおよびＲＳＳＩを取得し、制御部４０が、ＲＳＳＩを考慮したＣ／Ｎの劣化量から、無線通信部２０のチャネルを１チャネルずつ高周波数側または低周波数側に遷移させる。これにより、無線通信部１０、２０のいずれかのＲＦ特性が大きく劣化することを避けることができ、安定したＲＦ動作を提供することができる。
【００８０】
また、無線通信部１０から無線通信部２０への影響および無線通信部１０から無線通信部２０への影響も同時に考慮して無線通信部２０のチャネルを設定しているので、無線通信部１０、２０それぞれのアンテナの接続ラインに、帯域外への不要送信パワーを防ぐための余分なフィルタを追加する必要がない。よって、無線通信部１０、２０の回路構成を簡単化することができ、低コスト化を図ることができる。
【００８１】
図３Ａから図３Ｃに示した例は、無線通信部１０、２０が競合した場合の動作であるが、これに限定されない。例えば、図３Ａのステップ３０１で無線通信部２０、３０が競合してもよい。この場合は、制御部４０は、無線通信部２０、３０のＣ／ＮおよびＲＳＳＩに基づいて無線通信部２０のチャネルの制御を行う。この制御は、図３Ａから図３Ｃに示した手順において、無線通信部１０を無線通信部３０に読み替えることで説明することができる。
【００８２】
（他の実施形態）
本発明の他の実施形態の無線通信装置は、複数のチャネルが割り当てられた第１の周波数帯域の、上記複数のチャネルのいずれかを使用して第１の無線通信を行う第１の無線通信部と、上記第１の周波数帯域よりも低い第２の周波数帯域を使用して、上記第１の無線通信とはアクセス方式が異なる第２の無線通信を行う第２の無線通信部と、上記第１の周波数帯域よりも高い第３の周波数帯域を使用して、上記第１および第２の無線通信とはアクセス方式が異なる第３の無線通信を行う第３の無線通信部と、上記第１の無線通信部と上記第２および第３の無線通信部の一方の無線通信部とが競合した場合に、上記第１の無線通信部と上記一方の無線通信部それぞれの、上記第２および第３の無線通信部の他方の無線通信部の稼働前および稼働後における受信状態の変化に基づいて、上記第１の無線通信部が使用するチャネルを決定する制御部と、を有する。
【００８３】
上記の構成において、上記第１の無線通信部および一方の無線通信部はそれぞれ、上記他方の無線通信部の稼働前および稼働後のキャリア対雑音比および受信電界強度を取得し、上記制御部が、上記第１の無線通信部および一方の無線通信部それぞれにおける、上記キャリア対雑音比の変化および受信電界強度の変化に応じて、上記第１の無線通信部が使用するチャネルを高域側または低域側にシフトさせてもよい。
【００８４】
以上説明した各実施形態の無線通信構成は本発明の一例であり、その構成および動作については当業者が理解し得る範囲で変更を加えることができる。
【００８５】
例えば、アクセス方式（または通信規格）として、ＣＤＭＡ、ＷＬＡＮ、ＷｉＭＡＸ以外の組み合わせ、例えばＷＣＤＭＡ、ＷＬＡＮ、ＷｉＭＡＸの組み合わせを用いてもよい。また、これら以外のアクセス方式（または通信規格）の組み合わせを用いることもできる。例えば、本発明は、ＬＴＥ（Long Term Evolution）等の規格に準じた無線通信にも適用可能である。
【００８６】
また、本発明は、アクセス方式が異なる複数の無線通信を行う装置全般に適用することができる。例えば、本発明は、携帯電話機、スマートフォン、ゲーム機、タブレット端末、パーソナルコンピュータ（デスクトップ型やノート型を含む）などに適用することができる。
【符号の説明】
【００８７】
１０、２０、３０  無線通信部
１１〜１３、２２、３１  スイッチ
１４〜１６、２１、３２、３３  フィルタ
１７、１８、２４、３５  受信部
１９、２３、３４  送信部
４０  制御部
４０ａ  記憶部
Ａｎｔ１〜５  アンテナ
【図１】
2013009251.tif 000003
【図２】
2013009251.tif 000004
【図３Ａ】
2013009251.tif 000005
【図３Ｂ】
2013009251.tif 000006
【図３Ｃ】
2013009251.tif 000007